(57)【要約】      （修正有）【課題】非警報時の発光部を利用した常夜灯を住人の不在時に在宅時並みの自然なパターンで点消灯させる警報器を提供する。【解決手段】警報器は、在宅モードでは、照度検出回路５１が検出するガス警報器の設置された部屋の照度が一定の照度以下の暗さになる夜間等において、コントローラ３５が、警報停止ボタンをを常夜灯の態様で発光させ、部屋の照度が一定以上の照度であれば、常夜灯の態様で点灯している警報停止ボタンを消灯させる。また、警報停止ボタンの常夜灯の態様による点消灯の履歴を、コントローラが、外部記憶装置４１の常夜灯点灯情報テーブルに記憶させる。一方、不在モードでは、コントローラは、外部記憶装置の常夜灯点灯情報テーブルに記憶された在宅モードにおける警報停止ボタンの常夜灯の態様による点消灯の履歴に基づいたパターンで、警報停止ボタンを常夜灯の態様で点消灯させる。【選択図】図２
2020035175.tif 000002
【特許請求の範囲】
【請求項１】
異常検出の対象空間に設置され、異常の検出時に警報時の態様で点灯されると共に、前記異常の非検出時に必要に応じて常夜灯の態様で点灯される発光部と、
前記常夜灯の態様による前記発光部の点消灯に関する動作モードを、在宅モードと不在モードとの間で切り替えるモード切替部と、
前記対象空間の照度を検出する照度センサと、
前記在宅モードにおいて、前記照度センサが検出した前記対象空間の照度が所定以下の低照度状態であるときに、前記発光部を前記常夜灯の態様で点灯させると共に、前記低照度状態でないときに、前記常夜灯の態様で点灯している前記発光部を消灯させる在宅モード制御部と、
前記在宅モード制御部による前記発光部の前記常夜灯の態様による点消灯の履歴をメモリに記憶させる履歴記憶部と、
前記不在モードにおいて、前記メモリに記憶された前記履歴に基づいたパターンで、前記常夜灯の態様で前記発光部を点消灯させる不在モード制御部と、
を備える警報器。
【請求項２】
前記メモリは、前記常夜灯の態様による前記発光部の時間帯別の点灯頻度を前記履歴として記憶する請求項１記載の警報器。
【請求項３】
前記不在モード制御部は、前記メモリに記憶された前記履歴から各時点についてそれぞれ求めた、前記在宅モード制御部による前記発光部の前記常夜灯の態様による点灯割合に基づいて、前記不在モード中の対応する各時点において前記発光部を前記常夜灯の態様で点消灯させる請求項１又は２記載の警報器。
【請求項４】
前記履歴記憶部はさらに、前記在宅モードにおける前記対象空間の照明装置の点消灯の履歴を前記メモリに記憶させ、前記不在モード制御部はさらに、前記不在モードにおいて、前記メモリに記憶された前記照明装置の点消灯の履歴を加味したパターンで、前記常夜灯の態様で前記発光部を点消灯させる請求項１、２又は３記載の警報器。
【請求項５】
前記メモリは、前記照明装置の時間帯別の点灯頻度を前記履歴として記憶する請求項４記載の警報器。
【請求項６】
前記不在モード制御部は、前記メモリに記憶された履歴から各時点についてそれぞれ求めた、前記在宅モードにおける前記照明装置の点灯割合を参照して、前記常夜灯の態様で前記発光部を点消灯させる請求項４又は５記載の警報器。
【請求項７】
前記モード切替部は、前記在宅モードにおいて前記照度センサが検出した前記対象空間の照度と、該照度の検出時に対応する時点について前記メモリに記憶された前記履歴とに基づいて、前記在宅モードから前記不在モードへの前記動作モードの変更の要否を判断する請求項１、２、３、４、５又は６記載の警報器。
【請求項８】
前記モード切替部は、前記在宅モードにおいて前記照度センサが検出した前記対象空間の照度が、前記対象空間の照明装置の消灯状態の照度及び点灯状態の照度のうち一方から他方に変化したときに、前記動作モードを前記不在モードから前記在宅モードに変更する請求項１、２、３、４、５、６又は７記載の警報器。
【請求項９】
前記モード切替部は、前記在宅モードにおいて前記照度センサが検出した前記対象空間の照度が、昼間から夜間に跨がる所定の時間帯において、前記対象空間の照明装置の点灯状態以上の照度を維持しているときに、前記動作モードを前記不在モードから前記在宅モードに変更する請求項１、２、３、４、５、６、７又は８記載の警報器。
【発明の詳細な説明】
【技術分野】
【０００１】
本発明は、異常を検出して警報する警報器に関する。
【背景技術】
【０００２】
異常を検出して警報する警報器の発光部を非警報時に常夜灯として利用する提案を、本出願人は過去に行っている（例えば、特許文献１）。
【先行技術文献】
【特許文献】
【０００３】
【特許文献１】特開２０１８−９２５７２号公報
【発明の概要】
【発明が解決しようとする課題】
【０００４】
常夜灯は、空き巣等の侵入を抑止する防犯的役割の側面を有している。このため、例えば、常夜灯が不自然なパターンで点消灯されて住人の不在を疑わせてしまうようでは、常夜灯を点灯させる意味がなくなってしまう。
【０００５】
本発明は前記事情に鑑みなされたもので、本発明の目的は、非警報時の発光部を利用した常夜灯を住人の不在時に在宅時並みの自然なパターンで点消灯させることができる警報器を提供することにある。
【課題を解決するための手段】
【０００６】
上記目的を達成するため本発明の第１の態様による警報器は、
異常検出の対象空間に設置され、異常の検出時に警報時の態様で点灯されると共に、前記異常の非検出時に必要に応じて常夜灯の態様で点灯される発光部と、
前記常夜灯の態様による前記発光部の点消灯に関する動作モードを、在宅モードと不在モードとの間で切り替えるモード切替部と、
前記対象空間の照度を検出する照度センサと、
前記在宅モードにおいて、前記照度センサが検出した前記対象空間の照度が所定以下の低照度状態であるときに、前記発光部を前記常夜灯の態様で点灯させると共に、前記低照度状態でないときに、前記常夜灯の態様で点灯している前記発光部を消灯させる在宅モード制御部と、
前記在宅モード制御部による前記発光部の前記常夜灯の態様による点消灯の履歴をメモリに記憶させる履歴記憶部と、
前記不在モードにおいて、前記メモリに記憶された前記履歴に基づいたパターンで、前記常夜灯の態様で前記発光部を点消灯させる不在モード制御部と、
を備える。
【０００７】
本発明の第１の態様による警報器によれば、異常検出の対象空間の照度が照度センサによって検出される。また、常夜灯の態様による発光部の点消灯に関する動作モードが、モード切替部によって在宅モードと不在モードとの間で切り替えられる。
【０００８】
そして、在宅モードでは、異常の非検出中に在宅モード制御部が、対象空間の照度が所定以下の低照度状態であると発光部を常夜灯の態様で発光させ、低照度状態でなければ、常夜灯の態様で点灯している発光部を消灯させる。
【０００９】
なお、在宅モードでは、在宅モード制御部による発光部の常夜灯の態様による点消灯の履歴が、履歴記憶部によりメモリに記憶される。
【００１０】
一方、不在モードでは、異常の非検出中に不在モード制御部が発光部を常夜灯の態様で点消灯させる。発光部を常夜灯の態様で点消灯させる際に、不在モード制御部は、メモリに記憶された在宅モードにおける発光部の常夜灯の態様による点消灯の履歴を参照する。
【００１１】
詳しくは、常夜灯の態様による発光部の点灯の履歴がメモリに記憶されている場合は、不在モード制御部が発光部を常夜灯の態様で点灯させる。反対に、常夜灯の態様による発光部の消灯の履歴がメモリに記憶されている場合は、不在モード制御部が常夜灯の態様で点灯している発光部を消灯させる。
【００１２】
つまり、不在モードにおいて不在モード制御部は、メモリに記憶された在宅モードにおける発光部の常夜灯の態様による点消灯の履歴に基づいたパターンで、発光部を常夜灯の態様で点消灯させる。
【００１３】
したがって、不在モードのときには、在宅モードのときに発光部が常夜灯の態様で点消灯されたパターンに近いパターンで、発光部が常夜灯の態様で点消灯される。
【００１４】
このため、非警報時の発光部を利用した常夜灯を住人の不在時に在宅時並みの自然なパターンで点消灯させることができる。
【００１５】
また、本発明の第２の態様による警報器は、本発明の第１の態様による警報器において、前記メモリは、前記常夜灯の態様による前記発光部の時間帯別の点灯頻度を前記履歴として記憶する。
【００１６】
本発明の第２の態様による警報器によれば、本発明の第１の態様による警報器において、在宅モードにおける発光部の常夜灯の態様による点消灯の履歴が、時間帯別の点灯頻度としてメモリに記憶されている。
【００１７】
このため、在宅モードのときに発光部が常夜灯の態様で点灯された時間帯別の頻度を基準に、不在モードのときに常夜灯の態様による発光部の点消灯をどうするかを、不在モード制御部が各時間帯別に決定することができる。
【００１８】
さらに、本発明の第３の態様による警報器は、本発明の第１又は第２の態様による警報器において、前記不在モード制御部は、前記メモリに記憶された履歴から各時点についてそれぞれ求めた、前記在宅モード制御部による前記発光部の前記常夜灯の態様による点灯割合に基づいて、前記不在モード中の対応する各時点において前記発光部を前記常夜灯の態様で点消灯させる。
【００１９】
本発明の第３の態様による警報器によれば、本発明の第１又は第２の態様による警報器において、メモリには、在宅モード制御部による発光部の常夜灯の態様による点消灯の履歴が、同じ時点について少なくとも複数日分記憶されている。このため、メモリの履歴から、在宅モードのときの各時点における発光部の常夜灯の態様による点灯割合を求めることができる。
【００２０】
したがって、在宅モードのときの各時点における、発光部が常夜灯の態様で点灯された割合を基準に、不在モードのときに常夜灯の態様による発光部の点消灯をどうするかを、不在モード制御部に各時点毎に決定させることができる。
【００２１】
また、本発明の第４の態様による警報器は、本発明の第１、第２又は第３の態様による警報器において、前記履歴記憶部はさらに、前記在宅モードにおける前記対象空間の照明装置の点消灯の履歴を前記メモリに記憶させ、前記不在モード制御部はさらに、前記不在モードにおいて、前記メモリに記憶された前記照明装置の点消灯の履歴に基づいたパターンで、前記常夜灯の態様で前記発光部を点消灯させる。
【００２２】
本発明の第４の態様による警報器によれば、本発明の第１、第２又は第３の態様による警報器において、メモリには、在宅モードにおける対象空間の照明装置の点消灯の履歴が記憶されている。そして、不在モード制御部は、不在モードにおいて発光部を常夜灯の態様で点消灯させる際に、メモリの在宅モードにおける照明装置の点消灯の履歴をさらに参照する。
【００２３】
詳しくは、照明装置の点灯の履歴がメモリに記憶されている場合は、常夜灯の点灯の履歴がメモリに記憶されていなくても、不在モード制御部が発光部を照明装置の代わりに、常夜灯の態様で点灯させる。
【００２４】
つまり、不在モードにおいて不在モード制御部は、メモリに記憶された在宅モードにおける照明装置の点消灯の履歴を加味したパターンで、発光部を常夜灯の態様で点消灯させる。
【００２５】
したがって、不在モードのときには、在宅モードのときに発光部が常夜灯の態様で点消灯されたパターンに近いパターンで、発光部が常夜灯の態様で点消灯される。また、在宅モードのときに照明装置が点灯された履歴がメモリに残っている時点でも、不在モードでは点灯されないことが予想される照明装置の代わりに、発光部が常夜灯の態様で点消灯される。
【００２６】
このため、非警報時の発光部を利用した常夜灯を住人の不在時に、警報器による異常検出の対象空間における照明装置の点灯を考慮した在宅時並みの自然なパターンで、点消灯させることができる。
【００２７】
さらに、本発明の第５の態様による警報器は、本発明の第４の態様による警報器において、前記メモリは、前記照明装置の時間帯別の点灯頻度を前記履歴として記憶する。
【００２８】
本発明の第５の態様による警報器によれば、本発明の第４の態様による警報器において、在宅モードにおける照明装置の点消灯の履歴が、時間帯別の点灯頻度としてメモリに記憶されている。
【００２９】
このため、在宅モードのときに照明装置が点灯された時間帯別の頻度を基準に加えて、不在モードのときに常夜灯の態様による発光部の点消灯をどうするかを、不在モード制御部が各時間帯別に決定することができる。
【００３０】
また、本発明の第６の態様による警報器は、本発明の第４又は第５の態様による警報器において、前記不在モード制御部は、前記メモリに記憶された履歴から各時点についてそれぞれ求めた、前記在宅モードにおける前記照明装置の点灯割合を参照して、前記常夜灯の態様で前記発光部を点消灯させる。
【００３１】
本発明の第６の態様による警報器によれば、本発明の第４又は第５の態様による警報器において、メモリには、在宅モード制御部による照明装置の点消灯の履歴が、同じ時点について少なくとも複数日分記憶されている。このため、メモリの履歴から、在宅モードのときの各時点における照明装置の点灯割合を求めることができる。
【００３２】
したがって、在宅モードのときの各時点における、照明装置が点灯された割合を基準に、不在モードのときに常夜灯の態様による発光部の点消灯をどうするかを、不在モード制御部に各時点毎に決定させることができる。
【００３３】
さらに、本発明の第７の態様による警報器は、本発明の第１、第２、第３、第４、第５又は第６の態様による警報器において、前記モード切替部は、前記在宅モードにおいて前記照度センサが検出した前記対象空間の照度と、該照度の検出時に対応する時点について前記メモリに記憶された前記履歴とに基づいて、前記在宅モードから前記不在モードへの前記動作モードの変更の要否を判断する。
【００３４】
本発明の第７の態様による警報器によれば、本発明の第１、第２、第３、第４、第５又は第６の態様による警報器において、在宅モードにおいて照度センサが対象空間の照度を検出すると、その時点についてメモリに記憶された履歴と照合される。
【００３５】
例えば、メモリの履歴では常夜灯の態様で点灯していた発光部が照明装置の点灯により既に消灯された夜間の時間帯に入っているのに、照度センサが検出する照度は一定時間以上、照明装置の非点灯時の照度のままである場合を想定する。
【００３６】
この場合は、在宅時には住人が照明装置を点灯して、常夜灯の態様で点灯していた発光部が消灯されているところ、現在は住人が不在で照明装置が点灯されないので、照度センサが照明装置の非点灯時の照度を検出し続けていることが考えられる。
【００３７】
このような場合に、常夜灯の態様による発光部の点消灯に関する動作モードが在宅モードから不在モードに切り替わるので、住人が照明装置を点灯させない不在時でも、発光部を常夜灯の態様で点灯させて対象空間の照度を在宅時のように上げることができる。
【００３８】
また、本発明の第８の態様による警報器は、本発明の第１、第２、第３、第４、第５、第６又は第７の態様による警報器において、前記モード切替部は、前記在宅モードにおいて前記照度センサが検出した前記対象空間の照度が、前記対象空間の照明装置の消灯状態の照度及び点灯状態の照度のうち一方から他方に変化したときに、前記動作モードを前記不在モードから前記在宅モードに変更する。
【００３９】
本発明の第８の態様による警報器によれば、本発明の第１、第２、第３、第４、第５、第６又は第７の態様による警報器において、不在モード中に住人が照明装置を点消灯させると、照度センサが検出した対象空間の照度が点灯状態と消灯状態との間で変化する。
【００４０】
このため、例えば、不在にしていた住人が帰宅して照明装置を点消灯させたときに、常夜灯の態様による発光部の点消灯に関する動作モードを不在モードから在宅モードに自動で切り替えることができる。
【００４１】
さらに、本発明の第９の態様による警報器は、本発明の第１、第２、第３、第４、第５、第６、第７又は第８の態様による警報器において、前記モード切替部は、前記在宅モードにおいて前記照度センサが検出した前記対象空間の照度が、昼間から夜間に跨がる所定の時間帯において、前記対象空間の照明装置の点灯状態以上の照度を維持しているときに、前記動作モードを前記不在モードから前記在宅モードに変更する。
【００４２】
本発明の第９の態様による警報器によれば、本発明の第１、第２、第３、第４、第５、第６、第７又は第８の態様による警報器において、昼間から夜間にかけて照度センサが照明装置の点灯状態以上の照度を検出し続けた場合は、照明装置が昼間から点灯されていると考えられる。
【００４３】
このため、住人が在宅していることが照度センサの検出照度の推移から明らかな場合に、常夜灯の態様による発光部の点消灯に関する動作モードを不在モードから在宅モードに自動で切り替えることができる。
【発明の効果】
【００４４】
本発明によれば、非警報時の発光部を利用した常夜灯を住人の不在時に在宅時並みの自然なパターンで点消灯させることができる。
【図面の簡単な説明】
【００４５】
【図１】本発明の第１実施形態に係るガス警報器の概略構成を示す説明図である。
【図２】図１のガス警報器の電気的な構成を示すブロック図である。
【図３】図２のコントローラのＣＰＵがＲＯＭ又は外部記憶装置に格納されたプログラムにしたがって実行する常夜灯点消灯処理の手順を示すフローチャートである。
【図４】図３の常夜灯点消灯処理において用いる常夜灯点灯情報テーブルの構成例を示す説明図である。
【図５】図２のコントローラのＣＰＵがＲＯＭ又は外部記憶装置に格納されたプログラムにしたがって実行するモード変更処理の手順を示すフローチャートである。
【図６】図２のコントローラのＣＰＵがＲＯＭ又は外部記憶装置に格納されたプログラムにしたがって実行する照明履歴処理の手順を示すフローチャートである。
【発明を実施するための形態】
【００４６】
以下、本発明の実施形態について、図面を参照して説明する。各図面を通じて同一もしくは同等の部位や構成要素には、同一もしくは同等の符号を付している。
【００４７】
以下に示す実施形態は、この発明の技術的思想を具体化するための装置等を例示するものであって、この発明の技術的思想は、各構成部品の材質、形状、構造、配置等を下記のものに特定するものでない。この発明の技術的思想は、特許請求の範囲において、種々の変更を加えることができる。
【００４８】
図１は本発明の第１実施形態に係るガス警報器の概略構成を示す説明図である。図１に示す本実施形態のガス警報器１（請求項中の警報器に相当）は、例えば屋内の台所等、ガスの使用場所に設置される。
【００４９】
ガス警報器１は、ハウジング３の前面５に、雰囲気取入口７、音声用通孔９及び警報停止ボタン１１を有している。
【００５０】
雰囲気取入口７は、ハウジング３の外部と内部とを連通させるもので、ガス警報器１の周辺の雰囲気をハウジング３の内部に取り入れるために形成されている。
【００５１】
ハウジング３の内部には、雰囲気取入口７に臨ませて、ガスセンサ（図示せず）が配置されている。ガスセンサは、例えば、接触燃焼式のものを用いることができる。
【００５２】
音声用通孔９は、ハウジング３の外部と内部とを連通させるもので、不図示のガスセンサがガスを検出したガス漏れ警報状態にあることを報知する警報音（音声メッセージ、ブザー音等）をガス警報器１の設置空間に出力させるために形成されている。
【００５３】
ハウジング３の内部には、音声用通孔９に臨ませて、スピーカ（図示せず）が配置されている。スピーカは、ガスセンサがガスを検出する（異常を検出する）とトリガされる不図示の音声合成ＩＣ等の音源が生成するガス漏れの警報音を鳴動させる。
【００５４】
警報停止ボタン１１は、音声用通孔９から出力される警報音を停止させるために押圧操作されるもので、本実施形態では、自己復帰式の押圧ボタンによって構成されている。警報停止ボタン１１は透光性を有する中空の樹脂部材により形成されている。
【００５５】
ハウジング３の内部には、警報停止ボタン１１の裏側に位置するように、不図示の光源が配置されている。光源は、例えば、多色発光式のＬＥＤ（発光ダイオード）によって構成することができる。この光源は、ガスセンサがガスを検出すると、例えば赤色等の警報色で点灯（又は点滅）される。この態様は、請求項中の警報時の態様に相当する。
【００５６】
光源の警報色での点灯（又は点滅）は、警報停止ボタン１１を押圧操作すると、これを検出したコントローラ（図示せず）の制御により停止させることができる。
【００５７】
なお、光源が点灯（又は点滅）すると、警報停止ボタン１１を透過した光がガス警報器１の周辺で視認可能となる。したがって、警報停止ボタン１１は、ガス漏れ警報状態にあるときに、警報色の光を出力して警報状態であることを報知する。即ち、本実施形態のガス警報器１では、警報停止ボタン１１が発光部の機能を併せ持っている。
【００５８】
ところで、本実施形態１のガス警報器１では、ガス漏れ警報状態になく警報停止ボタン１１が警報色の光を出力していないときに、発光部としての警報停止ボタン１１を、基本動作とは別の目的（拡張機能）に利用する。
【００５９】
具体的には、ガス警報器１の設置空間が一定の照度以下の暗さになる夜間等において、ガス漏れ警報状態にないときに光源を警報色以外の照明色で点灯させて、発光部としての警報停止ボタン１１を常夜灯として利用する。この態様は、請求項中の常夜灯の態様に相当する。
【００６０】
次に、ガス警報器１の電気的な構成について、図２のブロック図を参照して説明する。図２に示すように、ガス警報器１は、不図示の商用電源からの電力（ＡＣ１００Ｖ）をサージから保護するサージ保護回路２３及び直流に整流する整流回路２５を有する主電源部２１を有している。
【００６１】
整流回路２５で直流に整流した主電源部２１からの電力は、スイッチング回路２７によって、定格電圧の高低に応じた２つの系統（低電圧Ｖ１、高電圧Ｖ２）に分配される。
【００６２】
スイッチング回路２７で分配された低電圧Ｖ１（例えば、２〜３Ｖ）は、センサ駆動故障検出回路２９及び停電検出回路３１にそれぞれ供給される。センサ駆動故障検出回路２９は、都市ガス・ＣＯ（一酸化炭素）検出回路３３に動作用電力を供給する。
【００６３】
停電検出回路３１は、スイッチング回路２７からの低電圧Ｖ１の供給の有無により、商用電源の停電の有無を検出する。停電検出回路３１は、コントローラ３５に検出結果を出力する。
【００６４】
都市ガス・ＣＯ検出回路３３は、上述した不図示のガスセンサに相当する。都市ガス・ＣＯ検出回路３３は、コントローラ３５からのトリガ信号に呼応して、図１の雰囲気取入口７からハウジング３の内部に取り入れたガス警報器１の周辺の雰囲気中のガスを検出する。都市ガス・ＣＯ検出回路３３は、コントローラ３５に検出結果を出力する。
【００６５】
コントローラ３５は、トリガ信号に対する都市ガス・ＣＯ検出回路３３の応答がない場合や応答が正常な内容でない場合に、故障検出信号をセンサ駆動故障検出回路２９に出力する。センサ駆動故障検出回路２９は、コントローラ３５からの故障検出信号が入力されている間、都市ガス・ＣＯ検出回路３３に対する動作用電力の供給を停止する。
【００６６】
一方、スイッチング回路２７で分配された高電圧Ｖ２（例えば、７〜１０Ｖ）は、５Ｖ定電圧回路３７に供給される。
【００６７】
５Ｖ定電圧回路３７は、スイッチング回路２７で分配された高電圧Ｖ２から５Ｖの低電圧を生成する。生成した５Ｖの定電圧は、作動用電力として、ガス警報器１の負荷に相当するコントローラ３５、外部記憶装置４１、通電／警報表示等回路４５、音声警報／故障検出回路４７、常夜灯回路４９及び照度検出回路５１にそれぞれ供給される。
【００６８】
外部記憶装置４１（請求項中のメモリに相当）は、警報停止ボタン１１の光源を常夜灯回路４９により常夜灯として点消灯させるための各種のプログラムをインストールすることができる。このプログラムは、コントローラ３５の後述するＲＯＭ（図示せず）に格納してもよい。
【００６９】
また、外部記憶装置４１には、警報停止ボタン１１の光源を常夜灯回路４９により常夜灯として点消灯させる処理を行う際に参照される後述の常夜灯点灯情報テーブル（図４参照）が格納される。
【００７０】
通電／警報表示等回路４５は、正常な給電状態を示す不図示のパイロットランプ、上述した光源、ならびに、それらのドライバ回路を含んでいる。
【００７１】
通電／警報表示等回路４５は、コントローラ３５が５Ｖ定電圧回路３７からの電力供給を受けている間、図１のハウジング３の外部から視認可能な箇所に配置された不図示のパイロットランプを点灯させる。
【００７２】
また、通電／警報表示等回路４５は、都市ガス・ＣＯ検出回路３３の検出結果がガス漏れ警報状態に相当する内容であるとコントローラ３５が出力するガス漏れ検出信号に基づいて、上述した光源を警報色で点灯（又は点滅）させる。
【００７３】
音声警報／故障検出回路４７は、コントローラ３５が出力するガス漏れ検出信号に基づいて、上述した音源に警報音の信号を生成させ、図１の音声用通孔９の裏側に配置したスピーカ５３に警報音を鳴動させる。
【００７４】
常夜灯回路４９は、照度検出回路５１の検出結果からガス警報器１の設置空間（部屋）が一定の照度以下の暗さであることを認識したコントローラ３５が点灯信号を出力している間、上述した光源を照明色で点灯させる。常夜灯回路４９は請求項中の常夜灯点灯部に相当し、照度検出回路５１は請求項中の照度センサに相当する。
【００７５】
但し、通電／警報表示等回路４５がコントローラ３５からのガス漏れ検出信号に基づいて光源を警報色で点灯（又は点滅）させている間は、コントローラ３５からの点灯信号が入力されても光源を照明色では点灯させない。
【００７６】
なお、ガス警報器１を設置した部屋（図示せず）には、照明装置５９が別途設けられている。
【００７７】
ところで、本実施形態のガス警報器１では、コントローラ３５が、在宅モードと不在モードとの２つの動作モードで、常夜灯として利用するときの警報停止ボタン１１の光源を、常夜灯回路４９により点消灯させる。
【００７８】
そこで、コントローラ３５のＣＰＵがＲＯＭ又は外部記憶装置４１に格納されたプログラムにしたがって実行する、警報停止ボタン１１の光源を常夜灯回路４９により常夜灯として点消灯させる際の処理の手順を、図３のフローチャートを参照して説明する。コントローラ３５のＣＰＵは、予め定められた周期（例えば１時間周期）で、図３の手順の処理を繰り返し実行する。
【００７９】
そして、コントローラ３５のＣＰＵは、まず、常夜灯回路４９による警報停止ボタン１１の光源の点消灯の動作モードが不在モードであるか否かを確認する（ステップＳ１１）。不在モードでない場合は（ステップＳ１１でＮＯ）、後述するステップＳ２１に処理を移行する。
【００８０】
一方、不在モードである場合は（ステップＳ１１でＹＥＳ）、コントローラ３５のＣＰＵは、常夜灯の点灯判定値を計算する（ステップＳ１３）。常夜灯の点灯判定値は、図４の説明図に示す常夜灯点灯情報テーブルを参照して計算する。この常夜灯点灯情報テーブルは、外部記憶装置４１に格納されている。
【００８１】
図４に示すように、常夜灯点灯情報テーブルは、日曜日から土曜日までの１週間について、１日を０時（午前０時）から２３時（午後１１時）までの２４の時間帯に区切ったテーブルである。各曜日の各時間帯には、該当する曜日の該当する時間帯に、常夜灯回路４９により警報停止ボタン１１の光源を常夜灯として点灯させた回数が記憶される。
【００８２】
即ち、図４の常夜灯点灯情報テーブルは、在宅モードにおいて警報停止ボタン１１を常夜灯として点灯させた回数を、曜日及び時間帯別にカウントする常夜灯カウンタを構成している。
【００８３】
そして、上述した常夜灯の点灯判定値は、常夜灯の点灯割合を示す値である。点灯判定値は、ステップＳ１３の処理を実行する曜日及び時間帯について常夜灯点灯情報テーブルに記憶されている常夜灯カウンタのカウント値を、ガス警報器１の電源オンからの同一曜日の到来日数で除した値である。
【００８４】
したがって、常夜灯の点灯判定値（＝点灯割合、請求項中の点灯頻度に相当）は、次の式（１）、即ち、
点灯割合＝Ａ÷（Ｂ÷Ｃ）・・・式（１）
但し、Ａ＝常夜灯点灯情報テーブルの該当曜日及び該当時間帯のカウント値
Ｂ＝ガス警報器１の電源オンからの通電時間（不在モード時の通電時間を除く）
Ｃ＝２４時間×７日
によって求めることができる。
【００８５】
次に、コントローラ３５のＣＰＵは、図３に示すように、常夜灯の点灯判定値が所定の閾値（本実施形態では点灯割合＝５割）以上であるか否かを確認する（ステップＳ１５）。常夜灯の点灯判定値が所定のしきい値以上である場合は（ステップＳ１５でＹＥＳ）、コントローラ３５のＣＰＵは、警報停止ボタン１１の常夜灯としての点消灯状態を常夜灯回路４９により点灯状態とした後（ステップＳ１７）、一連の処理を終了する。ここでは、所定の閾値を点灯割合５割としている。
【００８６】
一方、常夜灯の点灯判定値が所定のしきい値以上（点灯割合５割以上）でない場合は（ステップＳ１５でＮＯ）、コントローラ３５のＣＰＵは、警報停止ボタン１１の常夜灯としての点消灯状態を常夜灯回路４９により消灯状態とする（ステップＳ１９）。その後、一連の処理を終了する。
【００８７】
また、ステップＳ１１において不在モードでない場合（ＮＯ）に進むステップＳ２１では、コントローラ３５のＣＰＵは、ガス警報器１を設置した部屋が暗いか否かを、照度検出回路５１の検出結果に基づいて確認する。
【００８８】
なお、コントローラ３５のＣＰＵは、照度検出回路５１が検出したガス警報器１を設置した部屋の照度を、常夜灯としての警報停止ボタン１１及び照明装置５９のいずれかが点灯されているときの照度と比較する。そして、部屋の初度の方が低い場合に、コントローラ３５のＣＰＵは、部屋が暗い（請求項中の低照度状態に相当）と判定する。
【００８９】
そして、部屋が暗い場合は（ステップＳ２１でＹＥＳ）、コントローラ３５のＣＰＵは、警報停止ボタン１１の常夜灯としての点消灯状態を常夜灯回路４９により点灯状態とする（ステップＳ２３）。
【００９０】
また、コントローラ３５のＣＰＵは、警報停止ボタン１１の常夜灯としての点消灯状態を点灯状態とした時刻を、点灯時刻としてコントローラ３５のＲＡＭに記憶させた後（ステップＳ２５）、一連の処理を終了する。
【００９１】
但し、ステップＳ２５における常夜灯の点灯時刻の記憶は、ステップＳ２３において、警報停止ボタン１１の常夜灯としての点消灯状態が消灯状態から点灯状態に変わった場合に限って実行する。
【００９２】
一方、ガス警報器１を設置した部屋が暗くない場合は（ステップＳ２１でＮＯ）、コントローラ３５のＣＰＵは、警報停止ボタン１１の常夜灯としての点消灯状態を常夜灯回路４９により消灯状態とする（ステップＳ２７）。
【００９３】
また、コントローラ３５のＣＰＵは、常夜灯点灯情報テーブルの今日と同じ曜日のカウント値のうち、ステップＳ２５で記憶させた点灯時刻から今までの時間帯のカウント値を、「１」ずつインクリメントした後（ステップＳ２９）、一連の処理を終了する。
【００９４】
但し、ステップＳ２９における常夜灯点灯情報テーブルのカウント値のインクリメントは、ステップＳ２７において、警報停止ボタン１１の常夜灯としての点消灯状態が点灯状態から消灯状態に変わった場合に限って実行する。
【００９５】
以上の説明からも明らかなように、本実施形態のガス警報器１では、図３のフローチャートにおけるステップＳ１３乃至ステップＳ１９が、請求項中の不在モード制御部に対応する処理となっている。
【００９６】
また、本実施形態のガス警報器１では、図３中のステップＳ２３及びステップＳ２７が、請求項中の在宅モード制御部に対応する処理となっている。さらに、本実施形態のガス警報器１では、図３中のステップＳ２９が、請求項中の履歴記憶部に対応する処理となっている。
【００９７】
次に、コントローラ３５のＣＰＵが実行する、常夜灯として利用するときの警報停止ボタン１１の光源を常夜灯回路４９により点消灯させる動作モードを在宅モードと不在モードとの間で切り替える際の処理の手順を、図５のフローチャートを参照して説明する。コントローラ３５のＣＰＵは、ＲＯＭ又は外部記憶装置４１に格納されたプログラムにしたがって、予め定められた周期（例えば１時間周期）で、図５の手順の処理を繰り返し実行する。
【００９８】
そして、コントローラ３５のＣＰＵは、まず、現在の動作モードが不在モードであるか否かを確認する（ステップＳ３１）。不在モードでない場合は（ステップＳＥ３１でＮＯ）、後述するステップＳ３７に処理を移行する。
【００９９】
一方、不在モードである場合は（ステップＳ３１でＹＥＳ）、コントローラ３５のＣＰＵは、在宅モードから不在モードへの切り替え条件（不在条件）が成立したか否かを確認する（ステップＳ３３）。
【０１００】
ここで、在宅モードから不在モードへの切り替え条件は、例えば、在宅モード中に、在宅モードにおける常夜灯の過去の点消灯実績からして、照度検出回路５１が検出した部屋の照度の状況が妥当でないと判断された場合に成立するものとすることができる。在宅モードにおける常夜灯の過去の点消灯実績は、外部記憶装置４１の常夜灯点灯情報テーブルの内容を参照して取得する。
【０１０１】
照度検出回路５１が検出した部屋の照度の状況が妥当でないと判断することができる場合として考えられるのは、例えば、次のような場合である。即ち、夜間の時間帯において、常夜灯点灯情報テーブルの履歴上では常夜灯が消灯されている時間帯に突入しても、一定時間以上、照度検出回路５１が照明装置５９の点灯時の照度を検出しない場合である。
【０１０２】
夜間の時間帯において、常夜灯点灯情報テーブルの履歴上では常夜灯が消灯されている時間帯は、普段（ガス警報器１の設置された部屋に住人が在宅しているとき）ならは、照明装置５９が点灯されている時間帯と考えることができる。したがって、この時間帯を過ぎても一定時間以上照明装置５９が点灯されなければ、ガス警報器１の設置された部屋に住人が不在であると推定することができる。
【０１０３】
なお、夜間の時間帯は、例えば、午後８時から翌朝５時までの間とすることができる。この時間帯は、予めプログラム上で決めておいてもよく、スマートフォン等の携帯端末からコントローラ３５に指定入力するようにしてもよい。あるいは、図４の常夜灯点灯情報テーブルの内容からコントローラ３５が学習して決定するようにしてもよい。また、一定時間は、例えば、１時間とすることができる。
【０１０４】
また、照度検出回路５１が検出した部屋の照度の状況が妥当でないと判断することができる場合として考えられるのは、例えば、次のような場合である。即ち、常夜灯点灯情報テーブルの夜間の時間帯において、常夜灯の点消灯状態が点灯状態から消灯状態に移行した境界の時刻から、一定時間以上、照度検出回路５１が検出する照度が照明装置５９の点灯時の照度まで増加しない場合である。
【０１０５】
夜間の時間帯において、常夜灯点灯情報テーブルの履歴上では常夜灯が点灯状態から消灯状態に移行する境界の時刻は、普段ならは、照明装置５９が点灯されて常夜灯が消灯される時刻と考えることができる。ここでいう普段とは、ガス警報器１の設置された部屋に住人が在宅しているときのことである。したがって、この時刻を過ぎても一定時間以上照明装置５９が点灯されなければ、ガス警報器１の設置された部屋に住人が不在であると推測することができる。
【０１０６】
なお、ここでも一定時間は、例えば、１時間とすることができる。
【０１０７】
そして、在宅モードから不在モードへの切り替え条件（不在条件）が成立しない場合は（ステップＳ３３でＮＯ）、一連の処理を終了する。また、在宅モードから不在モードへの切り替え条件（不在条件）が成立した場合は（ステップＳ３３でＹＥＳ）、コントローラ３５のＣＰＵは、動作モードを在宅モードから不在モードに切り替えた後（ステップＳ３５）、一連の処理を終了する。
【０１０８】
また、ステップＳ３１において不在モードでない場合（ＮＯ）に進むステップＳ３７では、コントローラ３５のＣＰＵは、不在モードから在宅モードへの切り替え条件（在宅条件）が成立したか否かを確認する。
【０１０９】
ここで、不在モードから在宅モードへの切り替え条件は、例えば、次のような場合に成立するものとすることができる。即ち、不在モード中に、夜間の時間帯に照明装置５９の点灯を照度検出回路５１が検出した場合、又は、時間帯が昼間から夜間に移行しても部屋が明るいままであることを照度検出回路５１が検出した場合に、切り替え条件が成立するものとすることができる。
【０１１０】
これらの場合は、いずれも、照明装置５９が点灯されたものと推定することができる。照明装置５９が点灯されたと言うことは、即ち、ガス警報器１の設置された部屋に住人がいると推定することができる。
【０１１１】
そして、不在モードから在宅モードへの切り替え条件（在宅条件）が成立しない場合は（ステップＳ３７でＮＯ）、一連の処理を終了する。また、不在モードから在宅モードへの切り替え条件（在宅条件）が成立した場合は（ステップＳ３７でＹＥＳ）、コントローラ３５のＣＰＵは、動作モードを不在モードから在宅モードに切り替えた後（ステップＳ３９）、一連の処理を終了する。
【０１１２】
以上の説明からも明らかなように、本実施形態のガス警報器１では、図５のフローチャートにおけるステップＳ３５及びステップＳ３９が、請求項中のモード切替部に対応する処理となっている。
【０１１３】
このように構成された本実施形態のガス警報器１では、ガス警報器１により異常を検出し警報する対象空間（部屋）の照度が照度検出回路５１によって検出される。また、常夜灯の態様による警報停止ボタン１１の点消灯に関する動作モードが、コントローラ３５の制御によって在宅モードと不在モードとの間で切り替えられる。
【０１１４】
そして、在宅モードでは、照度検出回路５１が検出するガス警報器１の設置された部屋の照度が一定の照度以下の暗さになる夜間等において、コントローラ３５が、警報停止ボタン１１をを常夜灯の態様で発光させる。そして、部屋の照度が一定以上の照度であれば、コントローラが、常夜灯の態様で点灯している警報停止ボタン１１を消灯させる。
【０１１５】
なお、在宅モードでは、警報停止ボタン１１の常夜灯の態様による点消灯の履歴が、コントローラ３５によって、外部記憶装置４１の常夜灯点灯情報テーブルに記憶される。
【０１１６】
一方、不在モードでは、異常の非検出中にコントローラ３５が警報停止ボタン１１を常夜灯の態様で点消灯させる。警報停止ボタン１１を常夜灯の態様で点消灯させる際に、コントローラ３５は、外部記憶装置４１の常夜灯点灯情報テーブルに記憶された在宅モードにおける警報停止ボタン１１の常夜灯の態様による点消灯の履歴を参照する。
【０１１７】
詳しくは、常夜灯の態様による警報停止ボタン１１の点灯の履歴が外部記憶装置４１の常夜灯点灯情報テーブルに記憶されている場合は、コントローラ３５が警報停止ボタン１１を常夜灯の態様で点灯させる。
【０１１８】
反対に、常夜灯の態様による警報停止ボタン１１の消灯の履歴が外部記憶装置４１の常夜灯点灯情報テーブルに記憶されている場合は、コントローラ３５が常夜灯の態様で点灯している警報停止ボタン１１を消灯させる。
【０１１９】
つまり、不在モードにおいてコントローラ３５は、外部記憶装置４１の常夜灯点灯情報テーブルに記憶された在宅モードにおける警報停止ボタン１１の常夜灯の態様による点消灯の履歴に基づいたパターンで、警報停止ボタン１１を常夜灯の態様で点消灯させる。
【０１２０】
したがって、不在モードのときには、在宅モードのときに警報停止ボタン１１が常夜灯の態様で点消灯されたパターンに近いパターンで、警報停止ボタン１１が常夜灯の態様で点消灯される。
【０１２１】
このため、非警報時の警報停止ボタン１１を利用した常夜灯を住人の不在時に在宅時並みの自然なパターンで点消灯させることができる。
【０１２２】
なお、本実施形態では、在宅モード時の常夜灯の態様による警報停止ボタン１１の点消灯の履歴を参照して、その履歴に近いパターンで不在モード時の警報停止ボタン１１を常夜灯の態様で点消灯させる場合について説明した。
【０１２３】
しかし、不在モード時には住人が不在であるため、住人が在宅しているときには点灯されていた照明装置５９が点灯されず、不在であることを外部から知られてしまう可能性がある。
【０１２４】
そこで、在宅モード時の照明装置５９の点消灯の履歴を収集して外部記憶装置４１の照明点灯情報テーブルに記憶させ、不在モード時に、照明点灯情報テーブルの履歴を参照して、照明装置５９の代わりに警報停止ボタン１１を常夜灯の態様で点灯させてもよい。
【０１２５】
即ち、不在モードにおいて、在宅モード時には照明装置５９が点灯されている時間帯になっても、ガス警報器１の設置された部屋の照度が照明装置５９の点灯状態の明るさに達しない場合がある。この場合は、在宅モード時に常夜灯が消灯されている時間帯であっても、警報停止ボタン１１を常夜灯の態様で点灯させる。
【０１２６】
このような制御をコントローラ３５によって行う場合は、例えば、在宅モード中に、照明装置５９の点消灯の履歴を取得し、外部記憶装置４１に記憶させる。
【０１２７】
そこで、コントローラ３５のＣＰＵがＲＯＭ又は外部記憶装置４１に格納されたプログラムにしたがって実行する、在宅モードにおける照明装置５９の点消灯の履歴を外部記憶装置４１に記憶させる際の処理の手順を、図６のフローチャートを参照して説明する。コントローラ３５のＣＰＵは、予め定められた周期（例えば１時間周期）で、図６の手順の処理を繰り返し実行する。
【０１２８】
そして、コントローラ３５のＣＰＵは、まず、常夜灯回路４９による警報停止ボタン１１の光源の点消灯の動作モードが不在モードであるか否かを確認する（ステップＳ４１）。不在モードである場合は（ステップＳ４１でＹＥＳ）、一連の処理を終了する。
【０１２９】
一方、不在モードでない場合は（ステップＳ４１でＮＯ）、コントローラ３５のＣＰＵは、照度検出回路５１が照明装置５９の点灯を検出したか否かを確認する（ステップＳ４３）。照明装置５９の点灯を検出していない場合は（ステップＳ４３でＮＯ）、後述するステップＳ４９に処理を移行する。
【０１３０】
また、照明装置５９の点灯を検出した場合は（ステップＳ４３でＹＥＳ）、コントローラ３５のＣＰＵは、照明装置５９の点灯を検出した時刻を、点灯時刻としてコントローラ３５のＲＡＭに記憶させる（ステップＳ４５）。そして、コントローラ３５のＣＰＵは、ＲＡＭの照明点灯フラグをＯＮさせ（ステップＳ４７）、その後、一連の処理を終了する。
【０１３１】
さらに、ステップＳ４３において照明装置５９の点灯を検出していない場合（ＮＯ）に進むステップＳ４９では、照度検出回路５１が照明装置５９の消灯を検出したか否かを確認する。照明装置５９の消灯を検出していない場合は（ステップＳ４９でＮＯ）、一連の処理を終了する。
【０１３２】
一方、照明装置５９の消灯を検出した場合は（ステップＳ４９でＹＥＳ）、ＲＡＭの照明点灯フラグがＯＮであるか否かを確認する（ステップＳ５１）。照明点灯フラグがＯＮでない場合は（ステップＳ５１でＮＯ）、以前から照明装置５９が消灯状態であったものとして、一連の処理を終了する。
【０１３３】
また、照明点灯フラグがＯＮである場合は（ステップＳ５１でＹＥＳ）、点灯状態であった照明装置５９が消灯されたものと考えられる。そこで、外部記憶装置４１に格納した照明点灯情報テーブルの、ステップＳ４５で記憶させた点灯時刻から今までの時間帯のカウント値を「１」ずつインクリメントする（ステップＳ５３）。そして、コントローラ３５のＣＰＵは、ＲＡＭの照明点灯フラグをＯＦＦさせ（ステップＳ５５）、その後、一連の処理を終了する。
【０１３４】
ここで、外部記憶装置４１に格納した照明点灯情報テーブルは、図４を参照して説明した常夜灯点灯情報テーブルと同じ体裁で構成することができる。
【０１３５】
そして、コントローラ３５は、不在モード時に、図３のフローチャートのステップＳ１３において、常夜灯の点灯判定値と共に、照明装置５９の点灯判定値を計算する。
【０１３６】
照明装置５９の点灯判定値は、ステップＳ１３の処理を実行する曜日及び時間帯について照明点灯情報テーブルに記憶されているカウント値を、ガス警報器１の電源オンからの同一曜日の到来日数で除した、照明装置５９の点灯割合を示す値である。
【０１３７】
したがって、照明装置５９の点灯判定値（＝点灯割合）は、次の式（２）、即ち、
点灯割合＝Ａ′÷（Ｂ÷Ｃ）・・・式（１）
但し、Ａ′＝照明点灯情報テーブルの該当曜日及び該当時間帯のカウント値
Ｂ＝ガス警報器１の電源オンからの通電時間（不在モード時の通電時間を除く）
Ｃ＝２４時間×７日
によって求めることができる。
【０１３８】
次に、コントローラ３５のＣＰＵは、図３のステップＳ１５において、常夜灯の点灯判定値が所定の閾値（本実施形態では点灯割合＝５割）以上であるか否かと共に、照明装置５９の点灯判定値が所定の閾値以上であるか否かを確認する。先に説明したように、本実施形態では、所定の閾値を「点灯割合＝５割」としている。
【０１３９】
そして、常夜灯の点灯判定値と照明装置５９の点灯判定値とのうち少なくとも一方が所定のしきい値以上（点灯割合５割以上）である場合は（ステップＳ１５でＹＥＳ）、コントローラ３５のＣＰＵは、ステップＳ１７の後、一連の処理を終了する。なお、ステップＳ１７では、コントローラ３５のＣＰＵは、警報停止ボタン１１の常夜灯としての点消灯状態を常夜灯回路４９により点灯状態とする。
【０１４０】
一方、常夜灯の点灯判定値と照明装置５９の点灯判定値とが両方とも所定のしきい値以上（点灯割合５割以上）でない場合は（ステップＳ１５でＮＯ）、コントローラ３５のＣＰＵは、ステップＳ１９の後、一連の処理を終了する。なお、ステップＳ１９では、コントローラ３５のＣＰＵは、警報停止ボタン１１の常夜灯としての点消灯状態を常夜灯回路４９により消灯状態とする。
【０１４１】
以上の制御を行うことで、住人が在宅しているときには点灯されていた照明装置５９が点灯されなくても、不在モード中に照明装置５９の代わりに常夜灯の態様で警報停止ボタン１１を点灯させて、不在であることを外部から知られて難いようにすることができる。
【０１４２】
なお、図２に示すように、照明装置５９を点消灯させる照明スイッチ５７が無線で通信可能に構成されている場合に、コントローラ３５に通信ユニット５５を接続してもよい。この場合は、通信ユニット５５を介して照明スイッチ５７のオンオフ操作に対応する信号をコントローラ３５が取得できる。
【０１４３】
このため、コントローラ３５は、照明装置５９の点消灯状態を、照度検出回路５１の検出結果からではなく、照明スイッチ５７から取得した信号によって把握し、制御に反映させることができる。
【０１４４】
また、本実施形態では、コントローラ３５が、照度検出回路５１の検出結果と、在宅モードにおける警報停止ボタン１１の常夜灯の態様での点消灯の履歴とに基づいて、在宅モードと不在モードとの切り替えを行うものとした。あるいは、在宅モードにおける照明装置５９の点消灯の履歴をさらに加味して、コントローラ３５が在宅モードと不在モードとの切り替えを行うものとした。
【０１４５】
しかし、図２に示すように、モードスイッチ６１（請求項中のモード切替部に相当）をコントローラ３５に接続し、モードスイッチ６１の操作に応じてコントローラ３５が動作モードを在宅モードと不在モードとの間で切り替える構成としてもよい。
【０１４６】
さらに、外部記憶装置４１に記憶させる常夜灯点灯情報テーブルや照明点灯情報テーブルは、図４に示す１週間単位のテーブルでなく、１日単位や１ヶ月単位、１年単位等、任意の期間を単位とするテーブルとすることができる。
【０１４７】
また、常夜灯の点灯判定値や照明装置５９の点灯判定値を計算するときに参照する常夜灯点灯情報テーブルや照明点灯情報テーブルを、例えば、点灯判定時と同じ季節の履歴に絞り込むようにしてもよい。
【０１４８】
さらに、外部記憶装置４１に記憶させる常夜灯点灯情報テーブルや照明点灯情報テーブルは、最新の履歴をコントローラ３５が取得する毎に古い履歴が上書き更新される構成としてもよい。
【０１４９】
そして、これまでに説明した実施形態では、設置空間のガス漏れを検出し警報するガス警報器１を例に取って説明した。しかし、この思想は、上述した各実施形態で説明したガス警報器に限らず、設置空間の煙を検出し警報する警報器等、ガス漏れ以外の警報状態を検出し警報する種々の警報器にも、広く適用可能である。
【産業上の利用可能性】
【０１５０】
本発明は、異常を検出して警報する警報器に適用して極めて有用である。
【符号の説明】
【０１５１】
１  ガス警報器（警報器）
３  ハウジング
５  ハウジング前面
７  雰囲気取入口
９  音声用通孔
１１  警報停止ボタン（発光部）
２１  主電源部
２３  サージ保護回路
２５  整流回路
２７  スイッチング回路
２９  センサ駆動故障検出回路
３１  停電検出回路
３３  都市ガス・ＣＯ検出回路
３５  コントローラ（モード切替部、在宅モード制御部、履歴記憶部、不在モード制御部）
３７  ５Ｖ定電圧回路
４１  外部記憶装置（メモリ）
４５  通電／警報表示等回路（警報灯点灯部、電池種類報知部）
４７  音声警報／故障検出回路
４９  常夜灯回路（常夜灯点灯部）
５１  照度検出回路
５３  スピーカ
５５  通信ユニット
５７  照明スイッチ
５９  照明装置
６１  モードスイッチ（モード切替部）
【図１】
2020035175.tif 000003
【図２】
2020035175.tif 000004
【図３】
2020035175.tif 000005
【図４】
2020035175.tif 000006
【図５】
2020035175.tif 000007
【図６】
2020035175.tif 000008